(57)【要約】【課題】ファインダ視状態での測距点選択において、カメラの移動によって任意の測距点を選択可能で且つ撮影時の測距精度と焦点を合わせる被写体の視認が容易なカメラを提供する。【解決手段】レンズからの被写体光学像を確認するファインダユニットと、複数の測距点を備えた撮像装置において、ファインダ内に選択された測距点を表示するファインダ表示手段と、カメラが構図変更されたことと、構図変更の移動量が検出可能なカメラ移動量検出手段と、カメラ移動量検出手段を起動させる構図決定ボタンとを有し、移動量検出結果の出力結果により、最初に検出された測距点から測距点を変更する測距点選択手段を備えたことを特徴とする。【選択図】図５
2017032615.tif 000002
【特許請求の範囲】
【請求項１】
レンズからの被写体光学像を確認するファインダユニット（８）と、複数の測距点を備えた撮像装置において、ファインダ内に選択された測距点を表示するファインダ表示手段（９）と、
カメラが構図変更されたことと、構図変更の移動量が検出可能なカメラ移動量検出手段（１０６）と、
カメラ移動量検出手段（１０６）を起動させる構図決定ボタン（５）とを有し、
移動量検出結果の出力結果により、最初に検出された測距点から測距点を変更する測距点選択手段（１０６、１０４）を備えたことを特徴とする撮像装置。
【請求項２】
前記ファインダ表示手段（９）は、前記カメラ移動量検出手段によって算出された移動量を示す構図基準（２２、２５）を表示することを特徴とする請求項１に記載の撮像装置。
【請求項３】
前記構図基準表示手段（２２）は、ファインダ視野形状に対応した枠表示であることを特徴とする請求項１に記載の撮像装置。
【請求項４】
構図基準表示手段（２５）は、被写体のキャプチャ画像として、ファインダ表示装置上に被写体像に重畳表示させることを特徴とする請求項１に記載の撮像装置。
【請求項５】
構図基準表示手段（２２、２５）がファインダ視野内の初期位置に戻った際に、警告音で撮影者に知らせることを特徴とする請求項１に記載の撮像装置。
【発明の詳細な説明】
【技術分野】
【０００１】
本発明は、デジタルカメラなどの撮像装置の測距点選択手段に関し、特に撮影者がファインダを覗いた状態での効率的な測距点選択方法に関する。
【背景技術】
【０００２】
従来、デジタルカメラの自動被写体測距の方法（＝ＡＦ）においては、大別して２つの方式が用いられている。一つは撮像面全体に渡って被写体測距が可能な方式で、具体的にはコントラストＡＦ方式や特許文献１に記載の撮像面位相差ＡＦ方式がある。もう一つは、事前に設定されたエリアでのみ被写体測距が可能な方式で、具体的には撮像用のセンサとは別に被写体測距専用のセンサを用いた位相差ＡＦ方式である。
【０００３】
コントラストＡＦ方式は、レンズを通した被写体像を光電変換可能な撮像素子により画像データとして逐次取得し、コントラストが最大となるようレンズを駆動することによって被写体に焦点を合わせる方式である。撮像面位相差ＡＦ方式は、撮像素子に位相差測距専用のセンサを設け光学的に焦点ズレ量を計測する方式であり、特許文献１で開示されている技術がある。本方式によって、位相差ＡＦでの多点化が進んできている。
【０００４】
これらの撮像面全体に渡って被写体測距可能なＡＦ方式を用いたカメラの測距点の選択においては、カメラ背面に設けられた液晶画面全面に設けられたタッチセンサ等を使用し、撮影者が焦点を合わせたい被写体を画面上で直接触れることで、測距点の選択を行うという選択方法が一般的に用いられている。
【０００５】
一方、専用センサを用いた位相差ＡＦ方式は、レンズを通した被写体像をセパレータレンズによって２つに分割し、それぞれの光学像を測距センサに投影し、結像した２つの画像の間隔からピント方向とデフォーカス量を算出し、レンズ駆動を行い被写体に焦点を合わせる方式である。
【０００６】
焦点を合わせたい被写体の選択方法としては、被写体測距可能な範囲として、専用センサに対応した位置に焦点選択枠がファインダ上に複数表示されており、これらの中から任意の点をダイヤルや複数の方向情報を持った操作部材等を操作し選択する構成が多く用いられている。
【０００７】
上記専用センサを用いたＡＦ方式において、より効率的に測距枠選択を行う方法として特許文献１の技術が開示されている。測距点選択において、複数の方向情報を持った操作部材の各方向に対して、測距枠を１対１で対応させ、測距点を直接選択する絶対位置選択手段と、現在の選択測距枠に対して、操作部材の入力に応じて相対的に位置を移動する相対位置選択手段を切り替える方法が特許文献２で開示されている。
【先行技術文献】
【特許文献】
【０００８】
【特許文献１】特開２０１０−１６７６２号公報
【特許文献２】特開２００６−３４９８３２号公報
【発明の概要】
【発明が解決しようとする課題】
【０００９】
しかしながら、上述の特許文献２に開示された従来技術では、測距枠の数と範囲が限定的な場合においては、素早く任意の枠を選択することが可能であるが、撮像面全体にわたって、被写体測距が可能なカメラにおいては、ダイヤルや複数の方向情報を持った操作部材で測距枠を移動させようとした場合に、一度の操作で所定量の枠の移動しか行うことができず、意図した被写体に測距枠を移動するために数ステップの操作が必要となる。結果、操作性が煩雑になるばかりでなく、操作に時間が掛かるため、シャッタチャンスを逃してしまうという問題があった。
【００１０】
また、前記説明したようにタッチセンサによる測距点選択を行う方式では、ファインダ使用時のおいては、カメラ背面と撮影者の顔が近づくため、使用することができないという問題がある。
【００１１】
上記問題を解決する一つの手段として、任意の被写体を測距枠で捕え焦点調整を行い、その際の測距情報を記憶させてから、構図を変えて撮影するいわゆるフォーカスロック撮影方法がある。この方法では、測距枠に任意の被写体が重なるようにカメラを移動させることで測距点を選択することが可能である。
【００１２】
しかしながら、従来のフォーカスロック撮影方法を用いて撮影を行った場合には、焦点検出を行ってから構図変更のためにカメラの移動が発生するため厳密な焦点調整が必要なマクロ撮影等の際には、焦点がずれてしまう問題があった（コサイン誤差と言われる現象で、ピンとを合わせて後にカメラの向きを変えた場合に発生する誤差）。
【００１３】
そこで、本発明の目的は、撮像面全体に渡って被写体測距が可能なカメラにおいて、任意の測距点を素早く選択可能で且つ、合焦精度の高い測距点選択を可能にした撮像装置を提供することにある。
【課題を解決するための手段】
【００１４】
上記の目的を達成するために、請求項１に記載の撮像装置は、
レンズからの被写体光学像を確認するファインダユニットと、複数の測距点を備えた撮像装置において、ファインダ内に選択された測距点を表示するファインダ表示手段と、
カメラが構図変更されたことと、構図変更の移動量が検出可能なカメラ移動量検出手段と、
カメラ移動量検出手段を起動させる構図決定ボタンと、を有し、
移動量検出結果の出力結果により、最初に検出された測距点から測距点を変更する測距点選択手段を備えたことを特徴とする。
【００１５】
上記の目的を達成するために、請求項２に記載の撮像装置は、
前記ファインダ表示手段は、前記カメラ移動量検出手段によって算出された移動量を示す構図基準を表示することを特徴とする。
【００１６】
上記の目的を達成するために、請求項３に記載の撮像装置は、
構図基準表示手段は、ファインダ視野形状に対応した枠表示であることを特徴とする。
【００１７】
上記の目的を達成するために、請求項４に記載の撮像装置は、
構図基準表示手段は、被写体のキャプチャ画像として、ファインダ表示装置上に被写体像に重畳表示させることを特徴とする。
【００１８】
上記の目的を達成するために、請求項５に記載の撮像装置は、
構図基準表示手段がファインダ視野内の初期位置に戻った際に、構図基準表示手段もしくは、確定測距枠表示手段の表示を変更することを特徴とする。
【００１９】
上記の目的を達成するために、請求項６記載の撮像装置は、
構図基準表示手段がファインダ視野内の初期位置に戻った際に、警告音で撮影者に知らせることを特徴とする。
【発明の効果】
【００２０】
本発明に係る撮像装置によれば、カメラ本体の移動により、ファインダ視野内におけるすべての被写体に測距枠を合わせることができ、且つ意図した構図での撮影が可能になる。また、焦点を合わせたい被写体に対して測距枠が重畳表示されるため、測距点が容易に確認することができる。また、撮影前に再度被写体測距を行うことで合焦精度の高い撮影が可能になる。
【図面の簡単な説明】
【００２１】
【図１】（ａ）本実施の形態に係るデジタルスチルカメラの前面側外観斜視図（ｂ）本実施の形態に係るデジタルスチルカメラの背面側外観斜視図（ｃ）本実施の形態に係るデジタルスチルカメラの背面側分解斜視図（ｄ）本実施の形態に係る加速度センサ単体図
【図２】本実施の形態に係るデジタルスチルカメラの主要な電気的構成を示すブロック図
【図３】本実施の形態に係る第一、第二の実施例共通する撮影動作フロー図
【図４】本実施の形態に係る第一の実施例での測距点変更動作フロー図
【図５】本実施の形態に係る第一の実施例でのファインダ内表示状態図
【図６】本実施の形態に係る第二の実施例での実施例での測距点変更動作フロー図
【図７】本実施の形態に係る第二の実施例でのファインダ内表示状態図
【発明を実施するための形態】
【００２２】
以下、本発明を実施するための形態を図面に基づいて説明する。
【００２３】
以下、図１から３を参照して、本発明の好ましい実施の形態一、実施形態二に共通する構成について詳細に説明する。なお、共通する部分には同一の符号を付す。
【００２４】
図１（ａ）、（ｂ）および（ｃ）は本実施の形態に係るデジタルスチルカメラの外観を示す図である。図１（ａ）はカメラ前面側より見た斜視図である。図１（ｂ）はカメラを背面側から見た斜視図である。図１（ｃ）はカメラを背面側から見た、外装カバーを外した状態の斜視図である。１はカメラ本体、４はレリーズボタン、３は撮影光軸、５は構図決定ボタン、１４は電源ＳＷ、８はファインダユニット、１２はＭＡＩＮ基板を示している、ＭＡＩＮ基板１２は実装面が、撮影光軸３に対して直交する向きにカメラ本体に固定されている。
【００２５】
図１（ｄ）は加速度センサ単体を示した図である。加速度センサは図示するようにＡ，Ｂ，Ｃの３軸が定義されている。カメラの光軸に平行な軸をＺ軸、カメラの高さ方向をＹ軸、それら２軸に直交する軸をＸ軸としたときに、カメラ軸ＸＹＺに対して、加速度センサ軸ＡＢＣが対応するようにＭＡＩＮ基板１２上に実装されている。カメラのＸ−Ｙ平面上の移動は加速度センサＡ，Ｂの出力を検出することで、移動量を検出することができるよう構成されている。
【００２６】
図２は本実施の形態に係るデジタルスチルカメラの主要な電気的構成を示すブロック図である。カメラ本体１に内蔵されたマイクロコンピュータからなる中央処理装置（以下、「ＭＰＵ」と称する）１０４は、カメラの動作制御を司るものであり、各要素に対して様々な処理や指示を実行する。本体メモリ１０５には、各種カメラ設定値を記憶することができる。
【００２７】
ＭＰＵ１０４には、ミラー駆動回路１０１、焦点検出回路１０２、シャッタ駆動回路１０３、加速度センサ１０６、映像信号処理回路１１２、スイッチセンス回路１０８が接続されている。これらの回路は、ＭＰＵ１０４の制御により動作するものである。ＭＰＵ１０４は、撮影レンズユニット２内のレンズ制御回路２０１とマウント接点１３を介して通信を行う。マウント接点１３は、撮影レンズユニット２が接続されるとＭＰＵ１０４へ信号を送信する機能も有する。これにより、レンズ制御回路２０１は、ＭＰＵ１０４との間で通信を行い、レンズユニット２内の撮影レンズ２０２の駆動を行い被写体の焦点を合わせることができる。
【００２８】
メインミラー６は、図２に示す撮影光軸３に対して４５°の角度に保持された状態で、撮影レンズ２を通過する撮影光束をファインダユニット８へ導くと共に、その一部を透過させて撮像ユニット１０へ導く。
【００２９】
撮像ユニット１０は、被写体像を光電変換する撮像素子を有し、本実施の形態ではＣＭＯＳセンサが用いられるが、その他にもＣＣＤ型、ＣＭＯＳ型及びＣＩＤ型等様々な形態があり、いずれの形態の撮整像デバイスを採用してもよい。また撮像ユニット１０は、撮像面上の任意の位置での被写体測光が可能な構成となっている。さらに撮像ユニット１０内には、不図示の結像面近傍に配置された複数の位相差検出素子からなる被写体測距手段（特許文献１に記載の撮像面位相差技術）によって、位相差方式の焦点検出を行う。前記焦点情報は、焦点検出回路１０２へ供給され、信号に基づいて焦点検出演算を行い、デフォーカス量及びデフォーカス方向を求め、これに基づいて、レンズ制御回路２０１を介して撮影レンズ２０２を合焦位置まで駆動する。
【００３０】
また、被写体測距の別の方法として、撮像ユニット１０で逐次取得した画像データを映像信号処理回路１１２で処理し、任意の点でのコントラスト比が最大となるようレンズを駆動するコントラストＡＦ方式としても良い（公知のコントラストＡＦ制御技術）。
【００３１】
ミラー駆動回路１０１は、例えばＤＣモータとギヤトレイン等によって構成され、メインミラー６を、ファインダにより被写体像を観察可能とする位置と、撮影光束から待避する位置とに駆動する。
【００３２】
ファインダユニット８は、メインミラー６により反射された撮影光束を正立正像に変換反射する。撮影者はファインダユニット８を介して被写体像を観察することができる。その際、ファインダ表示ユニット９によって、後述する種々の表示を、被写体像と重畳表示させることができる。
【００３３】
シャッタユニット（機械フォーカルプレーンシャッタ）７は、シャッタ幕の露光走行を行って被写体からの光を通過させ、撮像ユニット１０で撮像を行う。シャッタユニット７は、ＭＰＵ１０４の指令を受けたシャッタ駆動回路１０３により制御される。
【００３４】
クランプ／ＣＤＳ（相関二重サンプリング）回路１０９は、Ａ／Ｄ変換する前の基本的なアナログ処理を行うものであり、クランプレベルを変更することも可能である。ＡＧＣ（自動利得調整装置）１１０は、Ａ／Ｄ変換する前の基本的なアナログ処理を行うものであり、ＡＧＣ基本レベルを変更することも可能である。Ａ／Ｄ変換器１１１は、撮像ユニット１０のアナログ出力信号をデジタル信号に変換する。
【００３５】
映像信号処理回路１１２は、デジタル化された画像データに対してガンマ／ニー処理、フィルタ処理、ハードウエアによる画像処理全般を実行する。この映像信号処理回路１１２からのモニタ表示用の画像データは、表示装置駆動回路１１３を介して表示部材１１に表示される。また、映像信号処理回路１１２は、ＭＰＵ１０４の指示に従って、メモリコントローラ１１５を通じてバッファメモリ１１４に画像データを保存することもできる。さらに、映像信号処理回路１１２は、ＪＰＥＧ等の画像データ圧縮処理を行うこともできる。連写撮影等、連続して撮影が行われる場合は、一旦バッファメモリ１１４に画像データを格納し、メモリコントローラ１１５を通して未処理の画像データを順次読み出すこともできる。これにより、映像信号処理回路１１２は、Ａ／Ｄ変換器１１１から入力されてくる画像データの速度に関わらず、画像処理や圧縮処理を順次行うことができる。
【００３６】
圧縮された画像は外部メモリ１１６に記録される。外部メモリ１１６としてはカメラ本体に着脱可能なフラッシュメモリ等が用いられる。
【００３７】
スイッチセンス回路１０８は、各スイッチの操作状態に応じて入力信号をＭＰＵ１０４に送信する。スイッチＳＷ１は、レリーズボタン４（図１参照）の第１ストローク（半押し）によりＯＮする。スイッチＳＷ２は、レリーズボタン４の第２ストローク（全押し）によりＯＮする。電源ＳＷ１４と構図決定ボタン５はＯＮ状態とＯＦＦ状態の２つの状態に遷移できる。
【００３８】
加速度センサ１０６は、ＭＰＵ１０４からの指示に基づき、カメラの動的な移動量を算出し、その値を、一時記録メモリであるＲＡＭ１０７に送る。
【００３９】
＜第一の実施形態＞
図３、４、５を用いて第一実施形態における撮影動作フロー図について説明する。図３は本実施の形態に係る第一、第二の実施例での共通する撮影動作フロー図である。図４は本実施の形態に係る第一実施例での測距点変更フロー図であり、図５は本実施の形態に係る第一の実施例でのファインダ内表示状態図である。
【００４０】
電源ＳＷ１４がＯＮ状態を検出するとカメラが起動し撮影が開始される（Ｓ１００）。撮影者はカメラを移動させながら意図する構図となるよう位置を調整する。次に撮影者によりレリーズＳＷが反押しされＳＷ１ＯＮの状態となったことを検知すると、前記撮像ユニット１０上に複数レイアウトされた測光センサにより被写体測光を行う（Ｓ１０２）。
【００４１】
次に事前に行ったカメラ設定により測距する被写体の選択が行われ、自動測距枠２０としてファインダ表示ユニット９上に表示される（Ｓ１０３）ファインダ視野状態は図５（ａ）になる。事前の被写体自動選択の設定として例えば、最近端の被写体を選択するよう設定しても良いし、被写体が人の場合は顔を選択するように設定しても良い。次に自動選択した被写体に対して、前記撮像ユニット１０上に設けられた複数の測距センサによって測距を行う（Ｓ１０４）。被写体測距の方法としては、前記説明したように、コントラストＡＦ方式での被写体測距としても良い。被写体測距の結果に基づき、撮像面で合焦するようにレンズを駆動させる（Ｓ１０５）。合焦状態となったかを判別し（Ｓ１０６）、非合焦状態の場合は再度Ｓ１０５に戻り前記自動測距枠２０の位置での被写体測距をおこなう。測距枠位置が意図した被写体でない場合は、撮影者により、構図決定ボタン５が再度押下され（Ｓ１０７）、測距点再選択のサブプロセスに移る（Ｓ１０９）。サブプロセスのフローは実施例一、実施例二と分けて後述説明を行う。
【００４２】
撮影者により意図した被写体となっている場合は、レリーズボタンＳＷ２がＯＮ状態となっているか判定する（Ｓ１０８）。ＳＷ２のＯＮ状態が検出されない場合は、Ｓ１０１に戻る。ＳＷ２のＯＮ状態が検出された場合は、前記説明した撮像シーケンスに従い撮像を行う（Ｓ１１０）。
【００４３】
次に測距再選択のサブプロセス於ける第一の実施の形態について説明する。撮影者により構図決定ボタン５が押下されると、ファインダ視野のやや内側の位置に構図基準枠２２をファインダ表示ユニット９上に表示する（Ｓ１１１）ファインダ視野状態は図５（ｂ）になる。つぎに加速度センサ１０６の動作をスタートさせる（Ｓ１１２）。その際、構図基準枠２２の位置情報は、（Ａ，Ｂ）としてＲＡＭ１０７内に記憶させるが、加速度センサ１０６駆動時は基準値として
（Ａ，Ｂ）＝（０、０）
が記憶される（Ｓ１１３）。
【００４４】
次にカメラの移動があるかを判定し（Ｓ１１４）、移動がない場合は、Ｓ１１３に戻る。カメラの移動（Ｘ，Ｙ）を加速度センサ１０６が検知すると
（Ａ，Ｂ）＝（−Ｘ、−Ｙ）
となるように、構図基準枠２２はカメラ移動方向とは逆方向へファインダ視野内での表示位置が移動される（Ｓ１１６）。ファインダ視野状態は図５（ｃ）になる。その結果、撮影者からは、構図基準枠表示２２は被写体に対して、相対的に動いていないように見える。撮影者は、焦点を合わせたい被写体が自動測距枠２０に重なるように、カメラを移動させることで、ファインダ視野内の任意の被写体を選択することができる。
【００４５】
次に、撮影者により再び構図決定ボタン５がＯＮになるように操作されたかを判定する（Ｓ１１７）。構図決定ボタンがＯＮとなっていない場合はＳ１１６に戻る。構図決定ボタン５のＯＮを検知した場合、自動測距枠２０を確定測距枠２３として表示させる（Ｓ１１８）ファインダ視野状態は図５（ｄ）になる。確定測距枠２３の位置は（ａ、ｂ）としてＲＡＭ１０７内に記録されるが、構図決定ボタン５が再押下された位置を記憶させるため、
（ａ、ｂ）＝（０，０）
が記録される（Ｓ１１９）。
【００４６】
次に撮影者によるカメラの移動があるかを加速度センサ１０６によって検出し（Ｓ１２０）その移動量と方向を検出する（Ｓ１２１）。カメラ移動がない場合はＳ１２０に戻る。前記検出結果に基づき、構図基準枠表示２２と確定測距枠表示２３は、ファインダ表示ユニット９上の表示位置が変更される（Ｓ１２２、Ｓ１２３）。具体的には、確定測距枠表示後のカメラ移動量を（α、β）とした場合
（Ａ，Ｂ）＝（−Ｘ−α、−Ｙ−β）
（ａ，ｂ）＝（−α、−β）
となるように表示位置が変更される。つまり、再度構図決定ボタン５が押下される前までのカメラ移動分（Ｘ，Ｙ）だけ、構図基準表示２２と確定測距枠表示２３の表示位置は離れた状態で表示され、確定測距枠２３表示後のカメラ移動に伴い、それらの表示は同じ移動量、および方向でカメラの移動方向とは反対方向に移動するように表示されるファインダ視野状態は図５（ｆ）になる。
【００４７】
次に撮影者により、ファインダ視野内の構図基準表示２２がファインダ視野内の内側に均等に配置されるようにカメラ移動が行われることにより、当初の画角にカメラ位置を簡単に戻すことが可能になる。構図基準表示位置が初期の基準位置に戻ったことは、ＲＡＭ１０７内の構図基準表示位置情報が
（Ａ，Ｂ）＝（０、０）
となったか否かで検出できる（Ｓ１２４）。構図基準表示２２が初期位置でない場合はＳ１２２に戻る。初期位置判定の設定値は撮影者の利便性に合わせて変更が可能で、例えば、手持ち撮影の際には、厳密に初期位置に戻すことが難しい場合が想定される。その場合、初期位置状態判定の閾値に幅を持たせることも可能である。例えば、構図決定位置からの移動量が１０％以内に収まった場合には下記のように設定する。
（Ａ，Ｂ）＝（｜≧１０％｜、｜≧１０％｜）
構図基準表示２２が初期位置に戻ったことが検出された場合、確定測距枠位置で被写体測距を行い（Ｓ１２５）、結果に基づき所定量のレンズ駆動を行う（Ｓ１２６）。
【００４８】
次に合焦判定を行い（Ｓ１２７）、焦点がずれていた場合はＳ１２６に戻る。合焦状態と判定された際に、構図基準枠２２の表示色をこれまでとは異なる色で表示するよう変更される（Ｓ１２８）ファインダ視野状態は図５（ｇ）になる。または、表示変更の代わりに電子音を発することで撮影者に警告を行ってもよい。
【００４９】
以上の動作を行うことで、撮影者はファインダ視野内の任意の被写体に対して、カメラ移動による被写体選択が可能になり、より直観的に被写体を選択することが可能になる。また構図基準表示２２により、被写体選択のためにカメラを移動した後でも、当初決めた構図に容易にカメラ位置を戻すことが可能になる。また、構図を変えるためにカメラ移動を行っている最中であっても、選択した被写体に常に確定測距枠２３として測距位置が常時表示されている状態となるため、選択した被写体の確認が容易になる。さらに撮影前に再度被写体測距を行うことで焦点ズレのない撮影が可能なる。
【００５０】
＜第二の実施形態＞
次に図６、図７を用い第二の実施形態について説明する。図６は本実施の形態に係る第二の実施例での測距点再選択動作フロー図であり、図７は本実施の形態に係る第二の実施例でのファインダ内表示状態図である。第一の実施例と共通する機能については、同一の符号を用いて説明する。
【００５１】
構図決定ボタン５のＯＮをカメラが検知すると、前記説明した撮像シーケンスに従い撮像を行いキャプチャ画像２５を取得する。取得された画像データはバッファメモリ１１４に一時的に記録され（Ｓ２００）、表示装置駆動回路１１３を介してファインダ表示ユニット９上に表示されることで被写体像とキャプチャ画像２５が重畳表示される（Ｓ２０１）ファインダ視野状態は図７（ｂ）になる。キャプチャ画像はカメラが移動した際にも、常にファインダ視野枠に対して同じ位置に表示される。同時に加速度センサ１０６の動作がスタートされる（Ｓ２０２）。その際、キャプチャ画像２５の位置情報は、（Ｃ，Ｄ）としてＲＡＭ１０７内に記憶させるが、加速度センサ１０６駆動時の初期値として
（Ｃ，Ｄ）＝（０、０）
が記憶される（Ｓ２０３）。
【００５２】
次に撮影者により焦点を合わせたい被写体が自動測距枠２０に重なるように、カメラが移動されることで、ファインダ視野内の任意の被写体を選択することができる。
【００５３】
次に、撮影者により再び構図決定ボタン５がＯＮになるように操作されたかを判定する（Ｓ２０４）。構図決定ボタン５がＯＮとなっていない場合はＳ２０３に戻る。構図決定ボタン５のＯＮを検知した場合、その際の自動測距枠２０を確定測距枠２３として表示する（２０５）ファインダ視野状態は図７（ｃ）になる。確定測距枠２３の位置は（ｃ、ｄ）としてＲＡＭ１０７内に記録されるが、初期位置を記録させるため、
（ｃ、ｄ）＝（０，０）
が記録される（Ｓ２０６）。次に撮影者によるカメラの移動があるか判定し（Ｓ２０７）、カメラ移動がない場合はＳ２０６に戻る。
【００５４】
カメラ移動があった場合には加速度センサ１０６によって、その移動量と方向を検出する（Ｓ２０８）。検出結果に基づき、確定測距枠表示２３のファインダ視野内表示９上の表示位置を変更する（Ｓ２０９）ファインダ視野状態は図７（ｄ）になる。具体的には、構図決定ボタン５再押下後のカメラ移動量を（γ、σ）とした場合
（ｃ，ｄ）＝（−γ、−σ）
となるように表示位置が変更される。つまり、カメラ移動方向と逆の方向にカメラ移動と同じ量だけ移動することで、確定測距枠表示２３は焦点を合わせたい被写体上に常に重畳表示されることになる。
【００５５】
次に撮影者により、ファインダ視野内のキャプチャ画像２５がファインダ視野内の被写体に重なるようにカメラ移動が行われることにより、当初の構図にカメラ位置を簡単に戻すことが可能になる。キャプチャ画像２５と被写体の重なり判定として、ＲＡＭ１０７内の構図基準表示位置情報が
（Ｃ，Ｄ）＝（０、０）
となったか否かで検出できる（Ｓ２１０）。初期位置判定の設定値は撮影者の利便性に合わせて変更が可能で、例えば、手持ち撮影の際には、厳密に初期位置に戻すことが難しい場合が想定される。その場合、初期位置状態判定の閾値に幅を持たせることも可能である。例えば、構図決定位置からの移動量が１０％以内に収まった場合には下記のように設定する。
（Ｃ，Ｄ）＝（｜≧１０％｜、｜≧１０％｜）
また、別の方法として、カメラ移動後のリアルタイムの画像を取得し、キャプチャ画像と比較を勾配法、代表点マッチング法などの公知の画像比較手段を用いても良い。
【００５６】
キャプチャ画像２５が基準位置に戻ったことが検出された場合、確定測距枠位置で被写体測距を行い（Ｓ２１１）、焦点がずれていた場合、前記説明した制御に従い、再び確定測距枠位置の被写体で合焦するようにレンズ駆動を行い（Ｓ２１２）合焦状態を判定する（Ｓ２１３）。
【００５７】
合焦状態と判定された際に、確定測距枠表示２３の表示色をこれまでとは異なる色で表示するよう変更される（Ｓ２１４）ファインダ視野状態は図７（ｆ）になる。または、表示変更の代わりに電子音を発することで撮影者に警告を行ってもよい。
【００５８】
以上の動作を行うことで、撮影者はファインダ視野内の任意の被写体に対して、カメラ移動による被写体選択が可能になり、より直観的に被写体を選択することが可能になる。またキャプチャ画像２５により、被写体選択のためにカメラを移動した後でも、当初決めた構図に容易にカメラ位置を戻すことが可能になる。また、構図を変えるためにカメラ移動を行っている最中であっても、選択した被写体に常に測距枠が常時されている状態となるため、選択した測距点および被写体の確認が容易になる。さらに撮影前に再度被写体測距を行うことで焦点ズレのない撮影が可能なる。
【００５９】
以上、本発明の好ましい実施形態について説明したが、本発明はこれらの実施形態に限定されず、その要旨の範囲内で種々の変形及び変更が可能である。
【符号の説明】
【００６０】
１  カメラ本体、２  撮像レンズ、３  撮影光軸、４  レリーズボタン、
５  構図決定ボタン、６  メインミラー、７  シャッタユニット、
８  ファインダユニット、９  ファインダ表示ユニット、
１０  被写体測距手段を有する撮像ユニット、１１  背面表示部材、１２  メイン基板、
１３  マウント接点部、１４  電源ＳＷ、２０  自動測距枠、２１  ファインダ視野枠、
２２  構図基準枠、２３  確定測距枠、２４  構図基準枠の合焦表示、
２５  キャプチャ画像、２６  確定測距枠の合焦表示、１０１  ミラー駆動回路、
１０２  焦点検出回路、１０３  シャッタ駆動回路、１０４  ＭＰＵ、
１０５  本体メモリ、１０６  加速度センサ、１０７  ＲＡＭ、
１０８  スイッチセンス回路、１０９  クランプ／ＣＤＳ回路、１１０  ＡＧＣ回路、
１１１  Ａ／Ｄ変換器、１１２  映像信号処理回路、１１３  表示装置駆動回路、
１１４  バッファメモリ、１１５  メモリコントローラ、１１６  外部メモリ、
２０１  レンズ制御回路、２０２  撮像レンズ
【図１】
2017032615.tif 000003
【図２】
2017032615.tif 000004
【図３】
2017032615.tif 000005
【図４】
2017032615.tif 000006
【図５】
2017032615.tif 000007
【図６】
2017032615.tif 000008
【図７】
2017032615.tif 000009